【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
撮像装置に対して第１の方向に移動することにより前記撮像装置に装着されるアクセサリ装置であって、
前記撮像装置は前記第１の方向に順に配置された、基準電位となる第１のカメラ側電気接点と、装着されたアクセサリ装置と通信を行なうために用いられる複数のカメラ側通信用接点と、を備え、
前記アクセサリ装置は、
複数のアクセサリ側電気接点を保持するアクセサリ側接点保持部を有し、
前記撮像装置に装着された状態で前記複数のカメラ側通信用接点のそれぞれと接触する前記アクセサリ装置における複数の接触部は、
前記撮像装置に装着された状態で前記第１のカメラ側電気接点と接触する前記アクセサリ装置における第１の接触部よりも、前記アクセサリ接点保持部からの高さが低い接触部を含むことを特徴とするアクセサリ装置。
【請求項２】
前記複数のカメラ側通信用接点は、
クロック信号を出力可能な第１のカメラ側通信用接点と、
前記クロック信号に同期してデータを送信可能な第２のカメラ側通信用接点と、
前記クロック信号に同期して送信されたデータを受信可能な第３のカメラ側通信用接点と、
を含み、
前記複数のアクセサリ側電気接点は、
前記撮像装置に装着された状態で前記第１乃至第３のカメラ側通信用接点のそれぞれと接触する第１乃至第３のアクセサリ側通信用接点を含むことを特徴とする請求項１に記載のアクセサリ装置。
【請求項３】
前記複数のカメラ側通信用接点は、
前記第１乃至第３のカメラ側通信用接点を用いた通信で前記撮像装置が指定したデータを受信可能な第４のカメラ側通信用接点を含み、
前記撮像装置に装着された状態において前記第４のカメラ側通信用接点と接触する前記アクセサリ装置における第２の接触部の前記アクセサリ接点保持部からの高さは、前記第１の接触部の前記アクセサリ接点保持部からの高さよりも低いことを特徴とする請求項２に記載のアクセサリ装置。
【請求項４】
前記複数のカメラ側通信用接点は、
データを送受信可能な第５のカメラ側通信用接点と、
前記第５のカメラ側通信用接点を用いた通信に関するタイミングを通知可能な第６のカメラ側通信用接点と、
を含み、
前記撮像装置に装着された状態において前記第５のカメラ側通信用接点および前記第６のカメラ側通信用接点と接触する前記アクセサリ装置における第３の接触部および第４の接触部の前記アクセサリ接点保持部からの高さは、共に前記第１の接触部の前記アクセサリ接点保持部からの高さよりも低いことを特徴とする請求項１乃至３のいずれか一項に記載のアクセサリ装置。
【請求項５】
前記アクセサリ側接点保持部は、互いに異なる数の電気接点を保持する二つの段を備え、
前記複数のアクセサリ側電気接点は、
前記撮像装置に装着された状態で前記第１のカメラ側電気接点と接触する第１のアクセサリ側電気接点と、
前記撮像装置に装着された状態で前記複数のカメラ側通信用接点の少なくとも一部と接触する複数のアクセサリ側通信用接点と、
を含み、
前記第１のアクセサリ側電気接点は、前記複数のアクセサリ側通信用接点を保持する第１の段に保持されていることを特徴とする請求項１乃至４のいずれか一項に記載のアクセサリ装置。
【請求項６】
前記複数のアクセサリ側電気接点は、
前記撮像装置から前記第１のアクセサリ側電気接点を基準電位とした電力の供給を受けるための第２のアクセサリ側電気接点を含み、
前記第２のアクセサリ側電気接点は前記第１の段とは異なる第２の段に保持されていることを特徴とする請求項５に記載のアクセサリ装置。
【請求項７】
前記第２の段に保持されている電気接点の数は、前記第１の段に保持されている電気接点の数よりも少ないことを特徴とする請求項６に記載のアクセサリ装置。
【請求項８】
前記アクセサリ装置は撮影光学系を有するレンズ装置であることを特徴とする請求項１乃至７のいずれか一項に記載のアクセサリ装置。
【請求項９】
前記アクセサリ装置は撮影光学系を有するレンズ装置と前記撮像装置の間に装着可能な中間アダプタ装置であることを特徴とする請求項１乃至７のいずれか一項に記載のアクセサリ装置。
【請求項１０】
撮像装置と、前記撮像装置に対して第１の方向に移動することにより前記撮像装置に装着されるアクセサリ装置を含むカメラシステムであって、
前記撮像装置は、
前記第１の方向に順に配置された、基準電位となる第１のカメラ側電気接点と、
前記撮像装置に装着されたアクセサリ装置と通信を行なうために用いられる複数のカメラ側通信用接点と、を備え、
前記アクセサリ装置は、
複数のアクセサリ側電気接点を保持するアクセサリ側接点保持部を有し、
前記撮像装置に装着された状態で前記複数のカメラ側通信用接点のそれぞれと接触する前記アクセサリ装置における複数の接触部は、前記撮像装置に装着された状態で前記第１のカメラ側電気接点と接触する前記アクセサリ装置における第１の接触部よりも、前記アクセサリ接点保持部からの高さが低い接触部を含むことを特徴とするカメラシステム。
【手続補正２】
【補正対象書類名】明細書
【補正対象項目名】０００８
【補正方法】変更
【補正の内容】
【０００８】
本発明のアクセサリ装置は、撮像装置に対して第１の方向に移動することにより前記撮像装置に装着されるアクセサリ装置であって、前記撮像装置は前記第１の方向に順に配置された、基準電位となる第１のカメラ側電気接点と、装着されたアクセサリ装置と通信を行なうために用いられる複数のカメラ側通信用接点と、を備え、前記アクセサリ装置は、複数のアクセサリ側電気接点を保持するアクセサリ側接点保持部を有し、前記撮像装置に装着された状態で前記複数のカメラ側通信用接点のそれぞれと接触する前記アクセサリ装置における複数の接触部は、前記撮像装置に装着された状態で前記第１のカメラ側電気接点と接触する前記アクセサリ装置における第１の接触部よりも、前記アクセサリ接点保持部からの高さが低い接触部を含むことを特徴とする。
【手続補正３】
【補正対象書類名】明細書
【補正対象項目名】００５１
【補正方法】変更
【補正の内容】
【００５１】
図４は、カメラ本体１００に、中間アクセサリ装置５００を介してレンズ装置２００が装着されている場合のブロック図である。前述のように、中間アクセサリ装置５００はマウント部５５０ａと５５０ｂを備える。また、中間アクセサリ装置５００は、カメラ本体１００との通信を制御したり、中間アクセサリ装置５００に設けられた操作部材（不図示）の操作に応じた処理を行ったりするアクセサリ制御部５０１を有する。操作部材の操作は、アダプタ操作入力部５０２を介してアクセサリ制御部５０１に伝えられる。なお、操作部材の一例としては、絞り値の設定が可能なファンクションリングを挙げることができる。
【手続補正４】
【補正対象書類名】明細書
【補正対象項目名】００６３
【補正方法】変更
【補正の内容】
【００６３】
電気接点３００４および電気接点４００４は、カメラ本体１００のＶＤＤ端子１００１からレンズ装置３００に通信電力を供給するために用いられる端子である。中間アクセサリ装置４００においてＶＤＤ端子２００１は電気接点４００１までスルー配線されると共に、中間アクセサリ装置４００内のアダプタ電源部４０３にも接続されている。アダプタ電源部４０３はアダプタ制御部４０１およびアダプタ操作入力部に供給する電源として３．０Ｖの電源を生成する。以下、電気接点３００４および電気接点４００４をＶＤＤ端子３００４およびＶＤＤ端子４００４とも称する。なお、本実施形態において、ＶＤＤ端子１００１によってレンズ装置２００に供給される電力の電圧は５．０Ｖである。
【手続補正５】
【補正対象書類名】明細書
【補正対象項目名】００６５
【補正方法】変更
【補正の内容】
【００６５】
電気接点３００８および電気接点４００８は、カメラ本体１００とレンズ装置３００の通信制御系をグラウンドに接続するための端子である。つまり、ＶＤＤ端子に対応した接地端子である。中間アクセサリ装置４００においてＶＤＤ端子２０１２は電気接点４００８までスルー配線されている。以下、電気接点３００８および電気接点４００８をＤＧＮＤ端子３００８およびＤＧＮＤ端子４００８とも称する。
【手続補正６】
【補正対象書類名】明細書
【補正対象項目名】００６６
【補正方法】変更
【補正の内容】
【００６６】
電気接点３００２および電気接点４００２は、カメラ本体１００に中間アクセサリ装置４００を介してレンズ装置３００が装着されたことを検出するために用いられる端子である。カメラ制御部１０１はレンズ装置３００の装着を検出すると、レンズ装置３００への電源供給を開始する。中間アクセサリ装置４００においてＭＩＦ端子２００５は電気接点４００２までスルー配線されている。以下、電気接点３００２および電気接点４００２をＭＩＦ端子３００２およびＭＩＦ端子４００２とも称する。
【手続補正７】
【補正対象書類名】明細書
【補正対象項目名】００６７
【補正方法】変更
【補正の内容】
【００６７】
電気接点３００５乃至３００７および電気接点４００５乃至４００７は、後述する第１の通信に用いられる端子である。電気接点３００５乃至３００７の入出力はレンズ側通信用Ｉ／Ｆ部３０２を介してレンズ制御部３０１によって制御される。以下、電気接点３００５、３００６、３００７をＤＣＬ端子３００５、ＤＬＣ端子３００６、ＬＣＬＫ端子３００７とも称する。また、電気接点４００５、４００６、４００７をＤＣＬ端子４００５、ＤＬＣ端子４００６、ＬＣＬＫ端子４００７とも称する。
【手続補正８】
【補正対象書類名】明細書
【補正対象項目名】００８３
【補正方法】変更
【補正の内容】
【００８３】
同様に、ＴＹＰＥ＿ＩＮ端子の入力値が「０ｘ０２８０〜０ｘ０３７Ｆ」の範囲内であれば、カメラ制御部１０１はカメラ本体１００にレンズ装置３００が装着されていると判定するようにしている。「０ｘ０２８０〜０ｘ０３７Ｆ」は、ＴＹＰＥ端子１００３の電圧がＶＢＡＴ電圧およびＰＧＮＤ端子１００４の電圧である場合のＴＹＰＥ＿ＩＮ端子の入力値を含まない。したがって、カメラ本体１００にレンズ装置２００が適切に装着された場合にのみ、カメラ制御部１０１はカメラ本体１００にレンズ装置２００が装着されたと判定することができる。レンズ装置３００が装着されたと判定された場合、カメラ制御部１０１は通信電圧５．０Ｖでレンズ装置１００と通信を行なう。
【手続補正９】
【補正対象書類名】明細書
【補正対象項目名】００８９
【補正方法】変更
【補正の内容】
【００８９】
次に、Ｓ６０２において、カメラ制御部１０１はＳ６０１で記憶させたＭＩＦ＿ＩＮ端子の電圧値がＬｏｗレベルに相当するか否か判定する。ＭＩＦ＿ＩＮ端子の電圧値がＬｏｗレベルでない場合、カメラ本体１００にはレンズ装置が装着されていない状態であるため、Ｓ６０１に戻る（Ｓ６０２のＮｏ）。ＭＩＦ＿ＩＮ端子の電圧値がＬｏｗレベルである場合、カメラ本体１００にレンズ装置が装着された状態であると判定し、Ｓ６０３に進む。
【手続補正１０】
【補正対象書類名】明細書
【補正対象項目名】００９２
【補正方法】変更
【補正の内容】
【００９２】
Ｓ６０５では、第１通信用Ｉ／Ｆ部１０２ａに供給される電源電圧が３．０Ｖとなるようにカメラ制御部１０１が電源切り替え部１０４を制御する。
【手続補正１１】
【補正対象書類名】明細書
【補正対象項目名】００９５
【補正方法】変更
【補正の内容】
【００９５】
Ｓ６０９では、第１通信用Ｉ／Ｆ部１０２ａに供給される電源電圧が５．０Ｖとなるようにカメラ制御部１０１が電源切り替え部１０４を制御する。
【手続補正１２】
【補正対象書類名】明細書
【補正対象項目名】０１１６
【補正方法】変更
【補正の内容】
【０１１６】
Ｓ１４０２またはＳ１４１３の後に再び撮像制御が開始された場合、再び図８に示す制御を開始する。
【手続補正１３】
【補正対象書類名】明細書
【補正対象項目名】０１４９
【補正方法】変更
【補正の内容】
【０１４９】
なお、接触部２００６ａ乃至２０１１ａの高さを低くすると、ＤＧＮＤ端子１０１２の摩耗量を低減させることはできるが、電気接点２００６乃至２０１１と電気接点１００６乃至１０１１の接触不良は生じやすくなる。前述のように、レンズ装置２００の駆動制御や状態情報の取得は、第１の通信によって行われる。すなわち、第１の通信が成立していなければ、カメラ本体１００はレンズ装置２００の主要な制御を行うことができない。反対に、仮に第２の通信や第３の通信が行えなくなったとしても、第１の通信が成立していれば、カメラ本体１００はレンズ装置２００の主要な制御を行うことができる。このため、接触部２００６ａ乃至２００８ａは接触部２０１２ａと同じ高さとし、接触部（第２の接触部）２００９ａ、接触部（第３の接触部）２０１０ａ、接触部（第４の接触部）２０１１ａの高さを接触部２０１２ａよりも低くすることが好ましい。なお、接触部２００９ａ乃至２０１１ａと接触部２０１２ａとの高さの差ΔＴは、０．０５ｍｍ程度であれば十分である。
【手続補正１４】
【補正対象書類名】明細書
【補正対象項目名】０１５３
【補正方法】変更
【補正の内容】
【０１５３】
前述のように、本実施形態において、カメラ側接点保持部１５４の第２の段には、レンズ装置２００の装着方向（図１１（ｂ）の矢印Ｂの方向）に順に、ＰＧＮＤ端子１００４、ＴＹＰＥ端子１００３、ＶＢＡＴ端子１００２、ＶＤＤ端子１００１が配置されている。同様に、アクセサリ側接点保持部２５４の第２の段には、レンズ装置２００の装着方向（図１１（ｂ）の矢印Ｂの方向）に順に、ＰＧＮＤ端子２００４、ＴＹＰＥ端子２００３、ＶＢＡＴ端子２００２、ＶＤＤ端子２００１が配置されている。すなわち、第２の段に電源系端子を配置している。これによって、電源系端子の摩耗量を低減させることができる。結果として、安定した電源供給を行うことができる。
【手続補正１５】
【補正対象書類名】明細書
【補正対象項目名】０１５８
【補正方法】変更
【補正の内容】
【０１５８】
なお、カメラ本体１００にレンズ装置２００を着脱する際、ＭＩＦ端子２００５は電気接点１００６乃至１０１２と接触するため、ＭＩＦ端子２００５は摺動による摩耗量の多い位置に配置されていると言える。しかし、図１に示すようにカメラ本体１００には複数の種類のカメラアクセサリが装着されるため、レンズ装置２００の電気接点の摩耗量はカメラ本体１００に比べて少ない。このため、本実施形態ではカメラ本体１００のＭＩＦ端子１００５の摩耗量が少なくなるように電気接点を配列している。
【手続補正１６】
【補正対象書類名】明細書
【補正対象項目名】０１７６
【補正方法】変更
【補正の内容】
【０１７６】
図１３（ａ）はＬＣＬＫ端子に隣接してＣＳ端子が配置されている場合のＬＣＬＫ端子とＣＳ端子の周辺回路を示している。ＬＣＬＫ端子はカメラ本体内およびレンズ装置３００内のそれぞれにおいて第１の通信の通信電圧である５．０Ｖにプルアップされている。一方、ＣＳ端子はカメラ本体内及び中間アクセサリ装置内で第３の通信の通信電圧である３．０Ｖにプルアップされている。ここで、ＬＣＬＫ端子とＣＳ端子の間に導電性の異物９０が挟まってＬＣＬＫ端子とＣＳ端子が短絡すると、ＣＳ端子に３．０Ｖを超える電圧が印加されるおそれがある。このとき、カメラ本体の第２・第３通信用Ｉ／Ｆ部や中間アクセサリ装置のアクセサリ制御部に動作電圧（３．０Ｖ）を超える電圧が印加されてしまうため好ましくない。
【手続補正１７】
【補正対象書類名】明細書
【補正対象項目名】０１７７
【補正方法】変更
【補正の内容】
【０１７７】
図１３（ｂ）はＬＣＬＫ端子に隣接してＤＣＡ端子が配置されている場合のＬＣＬＫ端子とＤＣＡ端子の周辺回路を示している。ＤＣＡ端子はカメラ本体内及び中間アクセサリ装置内で第３の通信の通信電圧である３．０Ｖにプルアップされている。ここで、ＬＣＬＫ端子とＤＣＡ端子の間に導電性の異物９０が挟まってＬＣＬＫ端子とＤＣＡ端子が短絡すると、ＤＣＡ端子に３．０Ｖを超える電圧が印加されるおそれがある。このとき、カメラ本体の第２・第３通信用Ｉ／Ｆ部や中間アクセサリ装置のアクセサリ制御部に動作電圧（３．０Ｖ）を超える電圧が印加されてしまうため好ましくない。